(57)【要約】【課題】原稿におけるマーキングが付された複数の部分を、種類毎に付加情報を付加することによって複数に分類した上で新たな文書として出力できること。【解決手段】画像処理装置１０は、目的画像抽出部７ｃと、付加情報設定部（１１，Ｐｒ１２）と、二次画像生成部７ｄとを備える。前記目的画像抽出部７ｃは、一次画像Ｉ１のデータから予め設定された複数種類のマーキングが付された複数の目的画像ｇ０を前記マーキングの種類ごとに区別して抽出する。前記付加情報設定部（１１，Ｐｒ１２）は、操作部２ａに対する操作に従って、前記複数種類のマーキングにそれぞれ対応する複数の付加情報ｔ０を設定する。前記二次画像生成部７ｄは、前記複数の付加情報ｔ０を表す画像と前記複数の付加情報ｔ０を表す画像に対応してそれぞれ配置されることによって前記マーキングの種類ごとに分類された前記複数の目的画像ｇ０とを含む二次画像Ｉ２のデータを生成する。【選択図】図１
2018078355.tif 000002
【特許請求の範囲】
【請求項１】
一次画像のデータから予め設定された複数種類のマーキングが付された複数の目的画像を前記マーキングの種類ごとに区別して抽出する目的画像抽出部と、
操作部に対する操作に従って、前記複数種類のマーキングにそれぞれ対応する複数の付加情報を設定する付加情報設定部と、
前記複数の付加情報を表す画像と前記複数の付加情報を表す画像に対応してそれぞれ配置されることによって前記マーキングの種類ごとに分類された前記複数の目的画像とを含む二次画像のデータを生成する二次画像生成部と、と備える画像処理装置。
【請求項２】
前記一次画像を表示可能な表示部をさらに備え、
前記付加情報設定部は、前記操作部に対する操作に従って、前記表示部に表示された前記一次画像の一部を引用することにより前記複数の付加情報の一部または全部を設定可能である、請求項１に記載の画像処理装置。
【請求項３】
操作部に対する操作に従って、前記複数種類のマーキングの順番である分類順序を設定する順序設定部をさらに備え、
前記二次画像生成部は、前記複数の目的画像が前記分類順序に従った順番で前記マーキングの種類毎に配置された前記二次画像のデータを生成する、請求項１または請求項２に記載の画像処理装置。
【請求項４】
前記複数種類のマーキングが、複数種類のメインマーキングと、前記複数種類のメインマーキングとは異なる１種類もしくは複数種類のサブマーキングと、を含み、
前記目的画像抽出部は、前記一次画像のデータから、前記複数種類のメインマーキングが付された前記複数の目的画像を、さらに前記サブマーキングが付されたものとそうでないものとに区別して抽出し、
前記二次画像生成部は、前記複数の目的画像を、対応する前記メインマーキングの種類毎に分類され、さらに対応する前記サブマーキングの種類毎に分類された状態で含む前記二次画像のデータを生成する、請求項１から請求項３のいずれか１項に記載の画像処理装置。
【請求項５】
前記二次画像生成部は、前記一次画像における前記複数の目的画像が抽出された位置を表す抽出位置画像をさらに含む前記二次画像のデータを生成する、請求項１から請求項４のいずれか１項に記載の画像処理装置。
【請求項６】
原稿の画像を読み取り、原稿画像のデータを生成する画像読取部を備え、
前記原稿画像のデータが前記一次画像のデータとして処理される、請求項１から請求項５のいずれか１項に記載の画像処理装置。
【請求項７】
前記複数種類のマーキングが、それぞれ異なる色のマーキングを含む、請求項１から請求項６のいずれか１項に記載の画像処理装置。
【請求項８】
前記複数の付加情報が、前記複数種類のマーキングにそれぞれ対応して分類される前記複数の目的画像のタイトルである、請求項１から請求項７のいずれか１項に記載の画像処理装置。
【請求項９】
前記二次画像をシートに形成する画像形成部を備える、請求項１から請求項８のいずれか１項に記載の画像処理装置。
【発明の詳細な説明】
【技術分野】
【０００１】
本発明は、画像処理装置に関する。
【背景技術】
【０００２】
一般に、原稿における重要事項が記載された部分などの複数の目的部分にいわゆるラインマーカーなどによるマーキングが付される場合がある。さらに、前記複数の目的部分のみを集めた新たな文書を作りたい場合がある。
【０００３】
また、画像処理装置が、問題文および前記マーキングが付された正解の文字列を含む原稿から画像を読み取り、前記正解の文字列の画像を、前記問題文の用紙とは別の用紙に印刷出力することが知られている（例えば、特許文献１参照）。
【先行技術文献】
【特許文献】
【０００４】
【特許文献１】特開２００７−００４５２３号公報
【発明の概要】
【発明が解決しようとする課題】
【０００５】
ところで、前記原稿における前記マーキングが付された前記複数の目的部分を、種類毎にタイトルなどの付加情報を付加することによって複数に分類したい場合がある。
【０００６】
本発明の目的は、原稿におけるマーキングが付された複数の部分を、種類毎に付加情報を付加することによって複数に分類した上で新たな文書として出力できる画像処理装置を提供することにある。
【課題を解決するための手段】
【０００７】
本発明の一の局面に係る画像処理装置は、目的画像抽出部と、付加情報設定部と、二次画像生成部と、を備える。前記目的画像抽出部は、一次画像のデータから予め設定された複数種類のマーキングが付された複数の目的画像を前記マーキングの種類ごとに区別して抽出する。前記付加情報設定部は、操作部に対する操作に従って、前記複数種類のマーキングにそれぞれ対応する複数の付加情報を設定する。前記二次画像生成部は、前記複数の付加情報を表す画像と前記複数の付加情報を表す画像に対応してそれぞれ配置されることによって前記マーキングの種類ごとに分類された前記複数の目的画像とを含む二次画像のデータを生成する。
【発明の効果】
【０００８】
本発明によれば、原稿におけるマーキングが付された複数の部分を、種類毎に付加情報を付加することによって複数に分類した上で新たな文書として出力できる画像処理装置を提供することが可能になる。
【図面の簡単な説明】
【０００９】
【図１】図１は、第１実施形態に係る画像処理装置のブロック図である。
【図２】図２は、第１実施形態に係る画像処理装置によって処理される一次画像が形成された原稿の一例を示す図である。
【図３】図３は、第１実施形態に係る画像処理装置が出力する印刷物の一例を示す図である。
【図４】図４は、第１実施形態に係る画像処理装置における画像編集出力処理の手順の一例を示すフローチャートである。
【図５】図５は、第１実施形態に係る画像処理装置におけるマーキング種類設定画面の一例を示す図である。
【図６】図６は、第１実施形態に係る画像処理装置におけるタイトル設定画面の一例を示すである（上塗りマーキングが設定される場合）。
【図７】図７は、第１実施形態に係る画像処理装置におけるタイトル設定画面の一例を示すである（下線マーキングが設定される場合）。
【図８】図８は、第１実施形態に係る画像処理装置におけるタイトル引用設定画面の一例を示すである。
【図９】図９は、第２実施形態に係る画像処理装置におけるメインマーキング種類設定画面の一例を示す図である。
【図１０】図１０は、第２実施形態に係る画像処理装置におけるサブマーキング種類設定画面の一例を示す図である。
【図１１】図１１は、第２実施形態に係る画像処理装置によって処理される一次画像が形成された原稿の一例を示す図である。
【図１２】図１２は、第２実施形態に係る画像処理装置が出力する印刷物の一例を示す図である。
【発明を実施するための形態】
【００１０】
以下、添付図面を参照しながら、本発明の実施形態について説明する。なお、以下の実施形態は、本発明を具体化した一例であって、本発明の技術的範囲を限定する性格を有さない。
【００１１】
［第１実施形態：画像処理装置１０の構成］
第１実施形態に係る画像処理装置１０は、原稿９００の画像を読み取り、読み取った画像に対して編集処理を施し、その編集処理によって得られる画像を出力する機能を備える。
【００１２】
以下の説明において、原稿９００の画像のことを一次画像Ｉ１と称する。また、画像処理装置１０が原稿９００の画像を読み取ることによって得られる一次画像Ｉ１のデータのことを一次画像データＤ０１と称する。
【００１３】
さらに、以下の説明において、一次画像データＤ０１に対する前記編集処理によって得られる編集後の画像データのことを二次画像データＤ０２と称する。また、二次画像データＤ０２が表す画像のことを二次画像Ｉ２と称する。
【００１４】
図１に示される画像処理装置１０は、原稿９００から画像を読み取る機能およびシート９０１へ画像を形成する画像形成装置の機能を兼ね備えた複合機である。なお、画像処理装置１０が、画像送信機能を兼ね備えるファクシミリ装置などであることも考えられる。なお、図２において、原稿９００およびシート９０１が仮想線で示されている。
【００１５】
シート９０１に形成される画像は、例えば、原稿９００から読み取られた一次画像Ｉ１、二次画像Ｉ２または他の装置から受信される印刷ジョブが表す画像などである。シート９０１は、紙またはＯＨＰシートなどのシート状の画像形成媒体である。
【００１６】
画像処理装置１０は、主制御部１、操作表示部２、画像読取部２０、読取制御部３０、画像形成部４０、印刷制御部５０、通信部６０および画像処理部７０などを備える。
【００１７】
主制御部１、読取制御部３０、印刷制御部５０、通信部６０および画像処理部７０は、それぞれバス９に接続されおり、バス９を通じて相互にデータの受け渡しが可能である。
【００１８】
画像読取部２０は、原稿９００に光を走査する不図示の光学系、および原稿９００からの反射光の光量を画素ごとに検出して一次画像データＤ０１を出力する不図示のイメージセンサーなどを備える。画像読取部２０は、原稿９００の画像を読み取り、原稿画像のデータを生成する。前記原稿画像のデータが一次画像データＤ０１として処理される。
【００１９】
本実施形態において、画像読取部２０はカラー画像を読み取り可能なカラーイメージセンサーを備える。従って、原稿９００にカラー画像が含まれる場合、画像読取部２０はカラーの一次画像データＤ０１を生成する。
【００２０】
読取制御部３０は、画像読取部２０を制御して一次画像データＤ０１を取得する。さらに、読取制御部３０は、バス９を通じて一次画像データＤ０１を画像処理部７０などの他の機器に転送する。
【００２１】
画像形成部４０は、周知の電子写真方式またはインクジェット方式の画像形成処理によってシート９０１に画像を形成する。
【００２２】
例えば、電子写真方式の画像形成部４０は、感光体、帯電装置、レーザースキャニングユニット、現像装置および転写装置などを含む。前記帯電装置は、前記感光体の表面を帯電させ、前記レーザースキャニングユニットは、前記感光体の表面に静電潜像を書き込み、前記現像装置は、前記像担持体の表面の前記静電潜像をトナー像へ現像し、前記転写装置は、前記トナー像を前記感光体の表面からシート９０１へ転写する。
【００２３】
印刷制御部５０は、画像処理部７０から印刷用画像データを取得し、前記印刷用画像データに基づく画像をシート９０１に形成する処理を画像形成部４０に実行させる。
【００２４】
通信部６０は、ＬＡＮなどの通信回線１０１を通じてパーソナルコンピューターなどの外部装置との間でデータの送受信を行う通信インターフェイスである。ＭＰＵ１１が実行する前記外部装置との間のデータの送受信は、全て通信部６０を通じて行われる。さらに、通信部６０は、バス９を通じて主制御部１、読取制御部３０および印刷制御部５０などの各機器とデータの受け渡しを行う。
【００２５】
画像処理部７０は、バス９を通じて他の機器から得た画像データなどに対する各種のデータ処理を実行する。画像処理部７０によるデータ処理の対象は、例えば、読取制御部３０から得られる一次画像データＤ０１または通信回線１０１を通じて前記外部装置から得られる前記印刷ジョブなどである。
【００２６】
読取制御部３０、印刷制御部５０および画像処理部７０は、例えばＣＰＵ（Central Processing Unit）もしくはＤＳＰ（Digital Signal Processor）などのプロセッサー、またはＡＳＩＣ（Application Specific Integrated Circuit）などによって構成される。
【００２７】
操作表示部２は、ユーザーインターフェイスのデバイスであり、操作部２ａおよび表示部２ｂを含む。操作部２ａは、ユーザーの操作に従って情報を入力するデバイスであり、例えばタッチパネルおよび操作ボタンなどを含む。表示部２ｂは、情報を画像として表示する二次元表示デバイスであり、例えば液晶表示パネルなどである。後述するように、表示部２ｂは、一次画像Ｉ１を表示可能である（図８参照）。
【００２８】
主制御部１は、画像処理装置１０を統括して制御する。例えば、主制御部１は、表示部２ｂに操作メニューなどを表示させる。さらに、主制御部１は、操作部２ａに対する操作を通じて入力される入力情報および各種センサーの検出結果に応じて他の制御部に制御指令を出力する。
【００２９】
図２に示されるように、主制御部１は、ＭＰＵ（Micro Processor Unit）１１、ＲＡＭ（Random Access Memory）１２および二次記憶部１３などを備える。
【００３０】
ＭＰＵ１１は、各種の演算およびデータ処理を実行するプロセッサーである。ＲＡＭ１２は、ＭＰＵ１１に実行させるためのプログラムを一時記憶する揮発性のコンピューター読み取り可能な主記憶部である。
【００３１】
二次記憶部１３は、ＭＰＵ１１が参照する各種情報を記憶する不揮発性のコンピューター読取可能な記憶部である。また、二次記憶部１３は、ＭＰＵ１１による各種情報の読み書きが可能な記憶部でもある。二次記憶部１３は、ＭＰＵ１１に各種の処理を実行させるためのプログラム、ＭＰＵ１１によって参照される情報および書き込まれる情報を記憶する。
【００３２】
図２は、一部にマーキングｍ０１〜ｍ０３が付された原稿９００の一例である。このように、原稿９００における重要事項が記載された部分などの複数の目的部分にいわゆるラインマーカーなどによるマーキングｍ０１〜ｍ０３が付される場合がある。
【００３３】
ところで、前記複数の目的部分のみを集めた新たな文書を作りたい場合がある。さらに、原稿９００におけるマーキングｍ０１〜ｍ０３が付された前記複数の目的部分を、種類毎にタイトルなどの付加情報を付加することによって複数に分類したい場合がある。
【００３４】
画像処理装置１０は、後述する画像編集出力処理を実行可能である。これにより、画像処理装置１０は、原稿９００におけるマーキングｍ０１〜ｍ０３が付された複数の部分を、種類毎にタイトルを付加することによって複数に分類した上で新たな文書として出力することができる。
【００３５】
図２に示されるように、画像処理装置１０によって処理される一次画像Ｉ１には、複数種類のマーキングｍ０１〜ｍ０３が付されている。図２の例では、複数種類のマーキングｍ０１〜ｍ０３は、それぞれ異なる色で上塗りされた上塗りマーキングである。
【００３６】
なお、複数種類のマーキングｍ０１〜ｍ０３が、それぞれ線の形態または色が異なる複数種類の下線マーキングであることなども考えられる。
【００３７】
以下の説明において、一次画像Ｉ１におけるマーキングｍ０１〜ｍ０３が付された部分の画像のことを目的画像ｇ０と称する。即ち、目的画像ｇ０は、マーキングｍ０１〜ｍ０３によって指示された位置に存在する画像である。一次画像Ｉ１は、複数の目的画像ｇ０を含む。
【００３８】
マーキングｍ０１〜ｍ０３が前記上塗りマーキングである場合、目的画像ｇ０は、マーキングｍ０１〜ｍ０３と重複する画像である。一方、マーキングｍ０１〜ｍ０３が前記下線マーキングである場合、目的画像ｇ０は、マーキングｍ０１〜ｍ０３に対して隣接する領域に存在する画像である。
【００３９】
［画像編集出力処理］
前記画像編集出力処理は、図２に示されるような一次画像Ｉ１から複数の目的画像ｇ０を抽出し、抽出した複数の目的画像ｇ０を含む二次画像Ｉ２のデータである二次画像データＤ０２を生成および出力する処理である。
【００４０】
図３に示されるように、前記画像編集出力処理によって得られる二次画像Ｉ２は、複数のタイトル画像ｇ１と複数のタイトル画像ｇ１に対応してそれぞれ配置された複数の目的画像ｇ０とを含む。
【００４１】
複数のタイトル画像ｇ１は、複数種類のマーキングｍ０１〜ｍ０３に対応して設定されるタイトルの画像である。二次画像Ｉ２において、複数の目的画像ｇ０は、複数のタイトル画像ｇ１に対応してそれぞれ配置されることにより、マーキングｍ０１〜ｍ０３の種類毎に分類されている。なお、複数のタイトル画像ｇ１は、複数種類のマーキングｍ０１〜ｍ０３にそれぞれ対応して分類される複数の目的画像ｇ０のタイトルを表す画像である。
【００４２】
以下、図４に示されるフローチャートを参照しつつ、前記画像編集出力処理の手順の一例について説明する。以下の説明において、Ｓ１０１，Ｓ１０２，…は、前記画像編集出力処理において画像処理装置１０が実行する複数の工程の識別符号を表す。
【００４３】
前記画像編集出力処理の開始操作が操作部２ａに対して行われたときに、主制御部１のＭＰＵ１１が、前記画像編集出力処理を開始する。
【００４４】
＜工程Ｓ１０１＞
まず、ＭＰＵ１１が、マーキング種類設定処理を実行する。前記マーキング種類設定処理は、操作部２ａに対する操作に従って、マーキングｍ０１〜ｍ０３の種類を設定する処理である。
【００４５】
なお、ＭＰＵ１１が種類設定プログラムＰｒ１１を実行することにより、前記マーキング種類設定処理が実現される。工程Ｓ１０１の処理を実行するＭＰＵ１１は、マーキング種類設定部の一例である。
【００４６】
前記マーキング種類設定処理において、ＭＰＵ１１は、例えば図５に示されるようなマーキング種類設定画面ｆ０１を表示部２ｂに表示させる。マーキング種類設定画面ｆ０１は、形態選択アイコンｆ１１、複数の種類選択アイコンｆ１２、確定アイコンｆ１３、保存アイコンｆ１４、呼出アイコンｆ１５および中止アイコンｆ１６などを含む。
【００４７】
形態選択アイコンｆ１１は、一次画像Ｉ１におけるマーキングｍ０１〜ｍ０３の形態が、前記上塗りマーキングおよび前記下線マーキングのいずれであるかを選択する操作を受け付けるアイコンである。なお、前記アイコンは、操作部２ａに含まれる前記タッチパネルの一部として機能する。
【００４８】
本実施形態において、一次画像Ｉ１における全てのマーキングｍ０１〜ｍ０３に対して共通の形態が、形態選択アイコンｆ１１によって選択される。なお、マーキングｍ０１〜ｍ０３の形態の他の選択候補として、囲み枠マーキングなども考えられる。
【００４９】
種類選択アイコンｆ１２は、一次画像Ｉ１におけるマーキングｍ０１〜ｍ０３の種類を予め定められた選択肢の中から選択する操作を受け付けるアイコンである。ＭＰＵ１１は、形態選択アイコンｆ１１によるマーキングｍ０１〜ｍ０３の形態の選択結果に応じて、種類選択アイコンｆ１２により選択可能な選択肢を変更する。
【００５０】
図５に示されるように、前記上塗りマーキングがマーキングｍ０１〜ｍ０３の形態として選択された場合、形態選択アイコンｆ１１の前記選択肢は、前記上塗りマーキングの色である。例えば、前記上塗りマーキングの色の候補は、ピンク、イエロー、オレンジまたはブルーなどの彩色である。
【００５１】
一方、図６に示されるように、前記下線マーキングがマーキングｍ０１〜ｍ０３の形態として選択された場合、形態選択アイコンｆ１１の前記選択肢は、前記下線マーキングの線種である。例えば、前記線種の候補は、一重線、二重線、波線または破線などである。
【００５２】
ＭＰＵ１１は、形態選択アイコンｆ１１および種類選択アイコンｆ１２に対する操作に応じて、マーキングｍ０１〜ｍ０３の複数の種類を設定する。図５，６に示される例において、ＭＰＵ１１は、第１パターンから第５パターンまでの最大５つのマーキングｍ０１〜ｍ０３の種類を設定可能である。
【００５３】
図５に示される例では、それぞれ色の異なる３種類のマーキングｍ０１〜ｍ０３が設定されている。３種類のマーキングｍ０１〜ｍ０３は、前記第１パターンに対応する種類の第１マーキングｍ０１と、前記第２パターンに対応する種類の第２マーキングｍ０２と、前記第３パターンに対応する種類の第３マーキングｍ０３とを含む。
【００５４】
また、前記第１パターンから前記第５パターンにおける第１、第２、第３、第４および第５は、複数種類のマーキングｍ０１〜ｍ０３の順番である分類順序ｍｘ０を表す。ＭＰＵ１１は、分類順序ｍｘ０ごとにマーキングｍ０１〜ｍ０３の種類を設定する。
【００５５】
換言すれば、工程Ｓ１０１の処理を実行するＭＰＵ１１は、操作部２ａに対する操作に従って、複数種類のマーキングｍ０１〜ｍ０３の順番である分類順序ｍｘ０を設定していることになる。工程Ｓ１０１の処理を実行するＭＰＵ１１は、順序設定部の一例である。
【００５６】
後述するように、画像処理装置１０は、分類順序ｍｘ０に従った順番で複数の目的画像ｇ０を分類する。
【００５７】
なお、形態選択アイコンｆ１１および種類選択アイコンｆ１２に対する操作は、前記タッチパネルに対する操作であり、操作部２ａに対する操作の一例である。
【００５８】
前記マーキング種類設定処理において、確定アイコンｆ１３が操作された場合、ＭＰＵ１１は、複数のマーキング種類の設定を確定させる。
【００５９】
また、保存アイコンｆ１４が操作された場合、ＭＰＵ１１は、形態選択アイコンｆ１１および種類選択アイコンｆ１２に対する操作に応じて設定された前記複数のマーキング種類を表す登録マーキング種類データＤ１を二次記憶部１３に記憶させる。
【００６０】
また、呼出アイコンｆ１５が操作された場合、ＭＰＵ１１は、二次記憶部１３に既に記憶されている登録マーキング種類データＤ１が表す前記複数のマーキング種類を最新値として設定する。
【００６１】
なお、中止アイコンｆ１６が操作された場合、ＭＰＵ１１は、前記マーキング種類設定処理を終了させる。
【００６２】
＜工程Ｓ１０２＞
前記マーキング種類設定処理において、複数の前記マーキング種類の設定が確定すると、読取制御部３０が、画像読取部２０に原稿９００の画像の読取処理を実行させる。これにより、画像読取部２０は、原稿９００から一次画像Ｉ１を読み取り、一次画像データＤ０１を生成する。一次画像データＤ０１は、画像読取部２０から画像処理部７０へ転送される。
【００６３】
画像読取部２０が、ＡＤＦ（Auto Document Feeder）によって複数枚の原稿９００から複数ページ分の一次画像Ｉ１を読み取り、複数ページ分の一次画像データＤ０１を出力する場合もある。
【００６４】
＜工程Ｓ１０３＞
次に、画像処理部７０の行方向判定部７ａが、一次画像Ｉ１に含まれる文字列の行方向が横方向であるか縦方向であるかを判定する。例えば、行方向判定部７ａは、一次画像Ｉ１から横方向に延びる複数の帯状の空白領域を検出できた場合に、前記行方向が横方向であると判定する。同様に、行方向判定部７ａは、一次画像Ｉ１から縦方向に延びる複数の帯状の空白領域を検出できた場合に、前記行方向が縦方向であると判定する。
【００６５】
また、行方向判定部７ａが、一次画像Ｉ１に対する文字認識処理により、一次画像Ｉ１に含まれる文字を検出し、検出した文字の向きに応じて前記行方向を判定することも考えられる。
【００６６】
＜工程Ｓ１０４＞
次に、画像処理部７０のマーキング検出部７ｂが、マーキング検出処理を実行する。前記マーキング検出処理において、マーキング検出部７ｂは、一次画像データＤ０１から工程Ｓ１０１で設定された前記複数のマーキング種類に対応する複数種類のマーキングｍ０１〜ｍ０３を検出する。これにより、一次画像Ｉ１における複数種類のマーキングｍ０１〜ｍ０３の全ての位置が特定される。
【００６７】
本実施形態において、マーキングｍ０１〜ｍ０３の形態が前記上塗りマーキングである場合、複数種類のマーキングｍ０１〜ｍ０３が、それぞれ異なる色の前記上塗りマーキングを含む。この場合、マーキング検出部７ｂは、図５に示される種類選択アイコンｆ１２の操作により設定された色の画像をマーキングｍ０１〜ｍ０３として検出する。
【００６８】
マーキングｍ０１〜ｍ０３の形態が前記下線マーキングである場合、複数種類のマーキングｍ０１〜ｍ０３が、それぞれ前記行方向に沿って延びて形成され、それぞれ線の形状が異なる複数種類の前記下線マーキングを含む。この場合、マーキング検出部７ｂは、図６に示される種類選択アイコンｆ１２の操作により設定された形状で前記行方向に延びる線の画像をマーキングｍ０１〜ｍ０３として検出する。
【００６９】
＜工程Ｓ１０５＞
さらに、画像処理部７０の目的画像抽出部７ｃが、目的画像抽出処理を実行する。前記目的画像抽出処理において、目的画像抽出部７ｃは、一次画像データＤ０１から工程Ｓ１０１で設定された複数種類のマーキングｍ０１〜ｍ０３が付された複数の目的画像ｇ０を抽出する。これにより、一次画像Ｉ１における複数の目的画像ｇ０それぞれの位置座標および画像内容が特定される。
【００７０】
工程Ｓ１０５において、目的画像抽出部７ｃは、複数の目的画像ｇ０をマーキングｍ０１〜ｍ０３の種類ごとに区別して抽出する。さらに、工程Ｓ１０５において、目的画像抽出部７ｃは、抽出した複数の目的画像ｇ０それぞれの位置に対応するページ番号および行番号を特定する。以下の説明において、複数の目的画像ｇ０それぞれに対応する前記ページ番号および前記行番号のことを、それぞれ抽出ページ番号および抽出行番号と称する。
【００７１】
前記抽出ページ番号は、複数ページ分の一次画像Ｉ１における目的画像ｇ０が位置するページの情報である。前記抽出行番号は、複数行の文字列の画像を含む一次画像Ｉ１における目的画像ｇ０が位置する行の情報である。
【００７２】
工程Ｓ１０１で設定されたマーキングｍ０１〜ｍ０３の種類が前記上塗りマーキングである場合、目的画像抽出部７ｃは、マーキングｍ０１〜ｍ０３と重複する画像を目的画像ｇ０として抽出する。
【００７３】
一方、工程Ｓ１０１で設定されたマーキングｍ０１〜ｍ０３の種類が前記下線マーキングである場合、目的画像抽出部７ｃは、マーキングｍ０１〜ｍ０３に隣接する領域に存在する画像を目的画像ｇ０として抽出する。
【００７４】
＜工程Ｓ１０６＞
次に、ＭＰＵ１１が、タイトル設定処理を実行する。前記タイトル設定処理は、操作部２ａに対する操作に従って、複数種類のマーキングｍ０１〜ｍ０３にそれぞれ対応する複数のタイトルを設定する処理である。
【００７５】
なお、ＭＰＵ１１がタイトル設定プログラムＰｒ１２を実行することにより、前記タイトル設定処理が実現される。前記タイトルは付加情報の一例である。工程Ｓ１０６の処理を実行するＭＰＵ１１は、付加情報設定部の一例である。
【００７６】
前記タイトル設定処理において、ＭＰＵ１１は、例えば図７に示されるようなタイトル設定画面ｆ０２を表示部２ｂに表示させる。
【００７７】
タイトル設定画面ｆ０２は、複数のタイトル入力枠ｆ２１、複数の引用アイコンｆ２２、確定アイコンｆ２３、保存アイコンｆ２４、呼出アイコンｆ２５および中止アイコンｆ２６を含む。
【００７８】
複数のタイトル入力枠ｆ２１および複数の引用アイコンｆ２２は、それぞれ複数の分類順序ｍｘ０に対応している。即ち、複数のタイトル入力枠ｆ２１および複数の引用アイコンｆ２２は、それぞれマーキングｍ０１〜ｍ０３の複数の種類に対応している。
【００７９】
タイトル入力枠ｆ２１は、マーキングｍ０１〜ｍ０３の種類毎のタイトルｔ０を、操作部２ａに対する文字入力操作に従って設定する文字列入力処理を開始する操作を受け付けるアイコンである。
【００８０】
タイトル入力枠ｆ２１が操作されると、ＭＰＵ１１は、表示部２ｂに仮想キーボードを表示させ、前記仮想キーボードに対するキー入力操作に従って、マーキングｍ０１〜ｍ０３の種類毎のタイトルｔ０を設定する。
【００８１】
前記タイトル設定処理において、確定アイコンｆ２３が操作された場合、ＭＰＵ１１は、マーキングｍ０１〜ｍ０３の種類毎のタイトルｔ０の設定を確定させる。
【００８２】
また、保存アイコンｆ２４が操作された場合、ＭＰＵ１１は、タイトル入力枠ｆ２１または後述する引用アイコンｆ２２に対する操作に応じて設定されたマーキングｍ０１〜ｍ０３の種類毎のタイトルｔ０を表す登録タイトルデータＤ２を二次記憶部１３に記憶させる。
【００８３】
また、呼出アイコンｆ２５が操作された場合、ＭＰＵ１１は、二次記憶部１３に既に記憶されている登録タイトルデータＤ２が表すマーキングｍ０１〜ｍ０３の種類毎のタイトルｔ０を最新値として設定する。
【００８４】
なお、中止アイコンｆ２６が操作された場合、ＭＰＵ１１は、前記タイトル設定処理を終了させる。
【００８５】
引用アイコンｆ２２は、マーキングｍ０１〜ｍ０３の種類毎のタイトルｔ０を、操作部２ａに対する操作に従って、表示部２ｂに表示された一次画像Ｉ１の一部を引用することにより設定する引用設定処理をＭＰＵ１１に実行させる操作を受け付けるアイコンである。
【００８６】
前記引用設定処理において、ＭＰＵ１１は、例えば図８に示されるようなタイトル引用画面ｆ０３を表示部２ｂに表示させる。タイトル引用画面ｆ０３は、一次画像表示枠ｆ３１、ページ入力枠ｆ３２、行番号入力枠ｆ３３、更新アイコンｆ３４、始点設定アイコンｆ３５、終点設定アイコンｆ３６、確定アイコンｆ３７および中止アイコンｆ３８を含む。
【００８７】
一次画像表示枠ｆ３１は、一次画像Ｉ１の一部が表示され、表示された一次画像Ｉ１における位置を指示するカーソルＣ０の位置を指などのポインターＰ０によって設定可能な表示枠である。
【００８８】
ページ入力枠ｆ３２および行番号入力枠ｆ３３は、一次画像表示枠ｆ３１に表示させる一次画像Ｉ１の一部のページ番号および行番号をそれぞれ設定する操作を受け付ける数値入力枠である。
【００８９】
ページ入力枠ｆ３２または行番号入力枠ｆ３３が操作されると、ＭＰＵ１１は、仮想テンキーを表示部２ｂに表示させ、前記仮想テンキーに対する数値入力操作に従って、前記ページ番号または前記行番号を設定する。
【００９０】
以下の説明において、一次画像Ｉ１におけるページ入力枠ｆ３２および行番号入力枠ｆ３３の操作によって設定される前記ページ番号および前記行番号に対応する部分を含む部分画像のことを指定部分画像と称する。
【００９１】
更新アイコンｆ３４は、一次画像表示枠ｆ３１に表示させる画像を前記指定部分画像に更新する処理をＭＰＵ１１に実行させる操作を受け付けるアイコンである。更新アイコンｆ３４が操作されると、ＭＰＵ１１は、一次画像表示枠ｆ３１に前記指定部分画像を表示させる。さらに、ＭＰＵ１１は、一次画像表示枠ｆ３１のスクロールバーｆ３１ｘが操作された場合に、その操作に応じて一次画像表示枠ｆ３１に表示させる一次画像Ｉ１の一部の位置を縦方向または横方向へシフトさせる。
【００９２】
始点設定アイコンｆ３５は、一次画像表示枠ｆ３１に表示されている一次画像Ｉ１の一部におけるカーソルＣ０の位置を始点位置として設定する処理をＭＰＵ１１に実行させる操作を受け付けるアイコンである。前記始点位置は、一次画像Ｉ１に含まれる複数行の文字列画像における特定の行内の特定の位置を表す。
【００９３】
同様に、終点設定アイコンｆ３６は、一次画像表示枠ｆ３１に表示されている一次画像Ｉ１の一部におけるカーソルＣ０の位置を、カーソルＣ０の位置を含む１行の終点位置として設定する処理をＭＰＵ１１に実行させる操作を受け付けるアイコンである。前記終点位置は、一次画像Ｉ１に含まれる複数行の文字列画像における特定の行内の特定の位置を表す。
【００９４】
確定アイコンｆ３７は、引用タイトル確定処理をＭＰＵ１１に実行させる操作を受け付けるアイコンである。前記引用タイトル確定処理において、ＭＰＵ１１は、一次画像Ｉ１に含まれる複数行の文字列画像における前記始点位置から前記終点位置までの範囲の文字列画像、または、その文字列画像が表す文字列をタイトルｔ０として設定する。続いて、ＭＰＵ１１は、タイトル設定画面ｆ０２を表示部２ｂに表示させ、前記タイトル設定処理を継続する。
【００９５】
なお、中止アイコンｆ３８が操作された場合、ＭＰＵ１１は、前記引用設定処理を中止し、前記タイトル設定処理の状態を、引用アイコンｆ２２が操作される前の状態に戻す。これにより、図７に示されるタイトル設定画面ｆ０２が再び表示部２ｂに表示される。
【００９６】
＜工程Ｓ１０７＞
前記タイトル設定処理が終了すると、画像処理部７０の二次画像生成部７ｄが、二次画像生成処理を実行する。前記二次画像生成処理において、二次画像生成部７ｄは、工程Ｓ１０５で抽出された複数の目的画像ｇ０と工程Ｓ１０６で設定された複数のタイトルｔ０を表す画像とを含む二次画像Ｉ２のデータである二次画像データＤ０２を生成する（図３参照）。
【００９７】
以下の説明において、第１マーキングｍ０１、第２マーキングｍ０２および第３マーキングｍ０３に対応するタイトルｔ０を表す画像のことを、それぞれ第１タイトル画像ｇ１１、第２タイトル画像ｇ１２および第３タイトル画像ｇ１３と称する（図３参照）。
【００９８】
さらに、複数の目的画像ｇ０のうち、第１マーキングｍ０１に対応するものを第１目的画像ｇ０１、第２マーキングｍ０２に対応するものを第２目的画像ｇ０２、および第３マーキングｍ０３に対応するものを第３目的画像ｇ０３と称する（図３参照）。
【００９９】
二次画像生成部７ｄは、二次画像Ｉ２を生成する過程において、以下のようにして複数のタイトルｔ０を表す画像と複数の目的画像ｇ０とを配置する。即ち、二次画像生成部７ｄは、第１タイトル画像ｇ１１と、１つまたは複数の第１目的画像ｇ０１と、第１目的画像ｇ０１に対応する前記抽出ページ番号および前記抽出行番号を表すページ・行画像ｇ２とを対応付けて配置する。
【０１００】
同様に、二次画像生成部７ｄは、二次画像Ｉ２を生成する過程において、第２タイトル画像ｇ１２と、１つまたは複数の第２目的画像ｇ０２と、第２目的画像ｇ０２に対応する前記抽出ページ番号および前記抽出行番号を表すページ・行画像ｇ２とを対応付けて配置する。
【０１０１】
同様に、二次画像生成部７ｄは、二次画像Ｉ２を生成する過程において、第３タイトル画像ｇ１３と、１つまたは複数の第３目的画像ｇ０３と、第３目的画像ｇ０３に対応する前記抽出ページ番号および前記抽出行番号を表すページ・行画像ｇ２とを対応付けて配置する。
【０１０２】
ページ・行画像ｇ２は、一次画像Ｉ１における複数の目的画像ｇ０が抽出された位置を表す抽出位置画像の一例である。即ち、本実施形態において、二次画像生成部７ｄは、
一次画像Ｉ１における複数の目的画像ｇ０が抽出された位置を表すページ・行画像ｇ２を含む二次画像Ｉ２のデータを生成する。
【０１０３】
また、二次画像生成部７ｄは、図３に示されるように、複数のタイトル画像ｇ１１〜ｇ１３および複数の目的画像ｇ０が分類順序ｍｘ０に従った順番でマーキングｍ０１〜ｍ０３の種類毎に配置された二次画像Ｉ２のデータを生成する。
【０１０４】
以上により、二次画像Ｉ２は、複数のタイトル画像ｇ１１〜ｇ１３と複数のタイトル画像ｇ１１〜ｇ１３に対応してそれぞれ配置されることによってマーキングｍ０１〜ｍ０３の種類ごとに分類された複数の目的画像ｇ０とを含む。
【０１０５】
図３に示される例では、複数のタイトル画像ｇ１１〜ｇ１３が、それぞれ対応するマーキングｍ０１〜ｍ０３が付された状態で含まれている。これにより、複数のタイトル画像ｇ１１〜ｇ１３が、それぞれどの種類のマーキングｍ０１〜ｍ０３に対応しているかを把握することが容易である。
【０１０６】
また、図３に示される例では、複数の目的画像ｇ０は、元々付されていたマーキングｍ０１〜ｍ０３が除去された状態で二次画像Ｉ２に含められている。なお、複数の目的画像ｇ０が、マーキングｍ０１〜ｍ０３が付された状態のままでで二次画像Ｉ２に含められることも考えられる。
【０１０７】
＜工程Ｓ１０８＞
次に、画像形成部４０が、二次画像生成部７ｄによって生成された二次画像データＤ０２に基づく印刷処理を実行する。即ち、画像形成部４０が二次画像Ｉ２をシート９０１に形成する。これにより、図３に示されるような二次画像Ｉ２が形成されたシート９０１が出力され、前記画像編集出力処理が終了する。
【０１０８】
画像処理装置１０が採用されれば、原稿９００におけるマーキングｍ０１〜ｍ０３が付された複数の目的画像ｇ０の部分を、種類毎にタイトルｔ０を付加することによって複数に分類した上で新たな文書として出力することができる。
【０１０９】
また、ＭＰＵ１１は、前記引用設定処理を実行することにより、一次画像Ｉ１の一部を引用することによって複数のタイトルｔ０の一部または全部を設定可能である（Ｓ１０６）。そのため、簡易な操作によってタイトルｔ０を設定することが可能になる。
【０１１０】
また、ＭＰＵ１１は、工程Ｓ１０１において、マーキングｍ０１〜ｍ０３の複数の種類と、分類順序ｍｘ０との対応関係を設定できる（図５，６参照）。これにより、二次画像Ｉ２におけるマーキングｍ０１〜ｍ０３の種類ごとの目的画像ｇ０の配置順序を任意に設定することが可能であり、編集の自由度が高い。
【０１１１】
また、二次画像Ｉ２が、一次画像Ｉ１における複数の目的画像ｇ０が抽出された位置を表すページ・行画像ｇ２を含む。そのため、複数の目的画像ｇ０の抽出元を容易に確認することができる。
【０１１２】
［第２実施形態］
次に、図９〜１２を参照しつつ、第２実施形態に係る画像処理装置における前記画像編集出力処理について説明する。以下、本実施形態の前記画像編集出力処理における第１実施形態における前記画像編集出力処理との違いについて説明する。
【０１１３】
本実施形態において、第１実施形態におけるマーキングｍ０１〜ｍ０３に相当するものをメインマーキングｍ０１〜ｍ０３と称する。
【０１１４】
図１１に示されるように、本実施形態において画像処理の対象となる一次画像Ｉ１は、複数種類のメインマーキングｍ０１〜ｍ０３と、それらとは異なる１種類もしくは複数種類のサブマーキングｍ１とを含む。
【０１１５】
図１１に示される例では、一次画像Ｉ１は２種類のサブマーキングｍ１を含む。図１１において、メインマーキングｍ０１〜ｍ０３は、それぞれ色の異なる前記上塗りマーキングである。また、２種類のサブマーキングｍ１のうちの一方である第１サブマーキングｍ１１は、二重下線マーキングであり、２種類のサブマーキングｍ１のうちの他方である第２サブマーキングｍ１２は、一重下線マーキングである。
【０１１６】
第１サブマーキングｍ１１および第２サブマーキングｍ１２は、それぞれメインマーキングｍ０１〜ｍ０３のいずれかが付されている目的画像ｇ０に対して重複して付されている。
【０１１７】
本実施形態においても、ＭＰＵ１１、読取制御部３０、画像処理部７０および印刷制御部５０は、図４に示される手順と同様の手順で前記画像編集出力処理を実行する。但し、本実施形態における工程Ｓ１０１、Ｓ１０４、Ｓ１０５およびＳ１０７の処理は、第１実施形態における処理と若干異なる。
【０１１８】
＜工程Ｓ１０１＞
本実施形態の前記マーキング種類設定処理において、ＭＰＵ１１は、操作部２ａに対する操作に従って、メインマーキングｍ０１〜ｍ０３の種類と、サブマーキングｍ１の種類とをそれぞれ設定する（図４の工程Ｓ１０１参照）。
【０１１９】
メインマーキングｍ０１〜ｍ０３は、第１実施形態におけるマーキングｍ０１〜ｍ０３に相当する。従って、一次画像Ｉ１において第１メインマーキングｍ０１、第２メインマーキングｍ０２および第３メインマーキングｍ０３が付された画像が、それぞれ第１目的画像ｇ０１、第２目的画像ｇ０２および第３目的画像ｇ０３である。
【０１２０】
例えば、ＭＰＵ１１は、図９に示されるようなメインマーキング種類設定画面ｆ０１ａを表示部２ｂに表示させた上で、操作部２ａに対する操作に従ってメインマーキングｍ０１〜ｍ０３の種類を設定する。さらに、ＭＰＵ１１は、図１０に示されるようなサブマーキング種類設定画面ｆ０１ｂを表示部２ｂに表示させた上で、操作部２ａに対する操作に従ってサブマーキングｍ１の種類を設定する。
【０１２１】
メインマーキング種類設定画面ｆ０１ａおよびサブマーキング種類設定画面ｆ０１ｂは、図５，６に示されるマーキング種類設定画面ｆ０１と同様であるので、ここでは説明を省略する。
【０１２２】
＜工程Ｓ１０４＞
そして、本実施形態の前記マーキング検出処理において、マーキング検出部７ｂは、一次画像データＤ０１から工程Ｓ１０１で設定された複数種類のメインマーキングｍ０１〜ｍ０３および１種類以上のサブマーキングｍ１とをそれぞれ検出する（図４の工程Ｓ１０４参照）。
【０１２３】
＜工程Ｓ１０５＞
さらに、本実施形態の前記目的画像抽出処理において、目的画像抽出部７ｃは、一次画像データＤ０１から工程Ｓ１０１で設定された複数種類のメインマーキングｍ０１〜ｍ０３が付された複数の目的画像ｇ０を抽出する（図４の工程Ｓ１０５参照）。
【０１２４】
また、本実施形態の前記目的画像抽出処理において、目的画像抽出部７ｃは、一次画像データＤ０１から、複数の目的画像ｇ０を、さらにサブマーキングｍ１が付されたものとそうでないものとに区別して抽出する。その際、目的画像抽出部７ｃは、複数の目的画像ｇ０を、メインマーキングｍ０１〜ｍ０３の種類およびサブマーキングｍ１の種類の組み合わせごとに区別して抽出する。
【０１２５】
＜工程Ｓ１０７＞
また、本実施形態の前記二次画像生成処理において、二次画像生成部７ｄは、例えば図１２に示されるような二次画像Ｉ２のデータを生成する。
【０１２６】
即ち、本実施形態の二次画像生成部７ｄは、複数の目的画像ｇ０を、対応するメインマーキングｍ０１〜ｍ０３の種類毎に分類され、さらに対応するサブマーキングｍ１の種類毎に分類された状態で含む二次画像Ｉ２のデータを生成する。
【０１２７】
より具体的には、本実施敬愛の二次画像生成部７ｄは、二次画像Ｉ２を生成する過程において、以下のようにして複数のタイトルｔ０を表す画像と複数の目的画像ｇ０とを配置する。
【０１２８】
即ち、二次画像生成部７ｄは、第１タイトル画像ｇ１１と、第１サブマーキングｍ１１が付された１つまたは複数の第１目的画像ｇ０１と、第２サブマーキングｍ１２が付された１つまたは複数の第１目的画像ｇ０１と、第１目的画像ｇ０１に対応する前記抽出ページ番号および前記抽出行番号を表すページ・行画像ｇ２とを対応付けて配置する。
【０１２９】
さらに、二次画像生成部７ｄは、第１サブマーキングｍ１１が付された１つまたは複数の第１目的画像ｇ０１と、第２サブマーキングｍ１２が付された１つまたは複数の第１目的画像ｇ０１とを分類して配置する。
【０１３０】
同様に、二次画像生成部７ｄは、二次画像Ｉ２を生成する過程において、第２タイトル画像ｇ１２と、第１サブマーキングｍ１１が付された１つまたは複数の第２目的画像ｇ０２と、第２サブマーキングｍ１２が付された１つまたは複数の第２目的画像ｇ０２と、第２目的画像ｇ０２に対応する前記抽出ページ番号および前記抽出行番号を表すページ・行画像ｇ２とを対応付けて配置する。
【０１３１】
さらに、二次画像生成部７ｄは、第１サブマーキングｍ１１が付された１つまたは複数の第２目的画像ｇ０２と、第２サブマーキングｍ１２が付された１つまたは複数の第２目的画像ｇ０２とを分類して配置する。
【０１３２】
同様に、二次画像生成部７ｄは、二次画像Ｉ２を生成する過程において、第３タイトル画像ｇ１３と、第１サブマーキングｍ１１が付された１つまたは複数の第３目的画像ｇ０３と、第２サブマーキングｍ１２が付された１つまたは複数の第３目的画像ｇ０３と、第３目的画像ｇ０３に対応する前記抽出ページ番号および前記抽出行番号を表すページ・行画像ｇ２とを対応付けて配置する。
【０１３３】
さらに、二次画像生成部７ｄは、第１サブマーキングｍ１１が付された１つまたは複数の第３目的画像ｇ０３と、第２サブマーキングｍ１２が付された１つまたは複数の第３目的画像ｇ０３とを分類して配置する。
【０１３４】
なお、本実施形態において、一次画像Ｉ１が、サブマーキングｍ１が付されていない目的画像ｇ０を含むことも考えられる。この場合、二次画像生成部７ｄは、二次画像Ｉ２において、第１サブマーキングｍ１１が付された１つまたは複数の目的画像ｇ０と、第２サブマーキングｍ１２が付された１つまたは複数の目的画像ｇ０と、サブマーキングｍ１が付されていない１つまたは複数の目的画像ｇ０とを分類して配置する。
【０１３５】
本実施形態によれば、複数の目的画像ｇ０を、メインマーキングｍ０１〜ｍ０３の種類毎に分類できるとともに、サブマーキングｍ１の有無またはサブマーキングｍ１の種類に応じてさらに階層的に分類することができる。
【０１３６】
[応用例]
以上に示された各実施形態において、画像形成部４０が、二次画像データＤ０２を前記印刷処理によってシート９０１に出力することの他、通信部６０が、二次画像データＤ０２を通信回線１０１を通じて前記外部装置へ送信することも考えられる。
【０１３７】
また、各実施形態において、画像読取部２０が生成する原稿９００からの読み取り画像のデータが、一次画像データＤ０１として処理されることの他、前記外部装置から通信部６０通じて受信される画像データが、一次画像データＤ０１として処理されることも考えられる。
【０１３８】
また、タイトル設定プログラムＰｒ１２を実行するＭＰＵ１１が、複数種類のマーキングｍ０１〜ｍ０３にそれぞれ対応する複数の付加情報として、複数のタイトルｔ０以外の情報を設定することも考えられる。
【０１３９】
例えば、前記複数の付加情報が、マーキングｍ０１〜ｍ０３の種類ごとに設定される複数の補足情報であることなども考えられる。
【０１４０】
なお、本発明に係る画像処理装置は、各請求項に記載された発明の範囲において、以上に示された実施形態及び応用例を自由に組み合わせること、或いは実施形態及び応用例を適宜、変形する又は一部を省略することによって構成されることも可能である。
【符号の説明】
【０１４１】
１        ：主制御部
２        ：操作表示部
２ａ      ：操作部
２ｂ      ：表示部
７ａ      ：行方向判定部
７ｂ      ：マーキング検出部
７ｃ      ：目的画像抽出部
７ｄ      ：二次画像生成部
９        ：バス
１０      ：画像処理装置
１１      ：ＭＰＵ
１２      ：ＲＡＭ
１３      ：二次記憶部
２０      ：画像読取部
３０      ：読取制御部
４０      ：画像形成部
５０      ：印刷制御部
６０      ：通信部
７０      ：画像処理部
１０１    ：通信回線
９００    ：原稿
９０１    ：シート
Ｃ０      ：カーソル
Ｄ０１    ：一次画像データ
Ｄ０２    ：二次画像データ
Ｄ１      ：登録マーキング種類データ
Ｄ２      ：登録タイトルデータ
Ｉ１      ：一次画像
Ｉ２      ：二次画像
Ｐ０      ：ポインター
Ｐｒ１１  ：種類設定プログラム
Ｐｒ１２  ：タイトル設定プログラム（付加情報設定部）
ｆ０１    ：マーキング種類設定画面
ｆ０１ａ  ：メインマーキング種類設定画面
ｆ０１ｂ  ：サブマーキング種類設定画面
ｆ０２    ：タイトル設定画面
ｆ０３    ：タイトル引用画面
ｇ０      ：目的画像
ｇ０１    ：第１目的画像
ｇ０２    ：第２目的画像
ｇ０３    ：第３目的画像
ｇ１      ：タイトル画像
ｇ１１    ：第１タイトル画像
ｇ１２    ：第２タイトル画像
ｇ１３    ：第３タイトル画像
ｇ２      ：ページ・行画像
ｍ０１    ：第１マーキング（第１メインマーキング）
ｍ０２    ：第２マーキング（第２メインマーキング）
ｍ０３    ：第３マーキング（第３メインマーキング）
ｍ１      ：サブマーキング
ｍ１１    ：第１サブマーキング
ｍ１２    ：第２サブマーキング
ｍｘ０    ：分類順序
ｔ０      ：タイトル（付加情報）
【図１】
2018078355.tif 000003
【図２】
2018078355.tif 000004
【図３】
2018078355.tif 000005
【図４】
2018078355.tif 000006
【図５】
2018078355.tif 000007
【図６】
2018078355.tif 000008
【図７】
2018078355.tif 000009
【図８】
2018078355.tif 000010
【図９】
2018078355.tif 000011
【図１０】
2018078355.tif 000012
【図１１】
2018078355.tif 000013
【図１２】
2018078355.tif 000014